(57)【要約】【課題】所望の表示装置に対して所望の画面を容易に表示させることができる画像出力装置の提供。【解決手段】ノートＰＣ３は、画面生成部３３２と、検出部３３３と、表示制御部３３４と、情報入力部３３５と、関連付け部３３６とを備える。画面生成部３３２は、複数の仮想画面に係る画像情報を生成する。検出部３３３は、ノートＰＣ３に接続される複数のプロジェクターを検出する。表示制御部３３４は、画面生成部３３２にて生成される各仮想画面を表示手段３１に表示させる。情報入力部３３５は、検出部３３３にて検出された各プロジェクターと、各仮想画面とを関連付けるための関連情報を入力させる。関連付け部３３６は、関連情報に基づいて、検出部３３３にて検出された各プロジェクターと、各仮想画面とを関連付けて各仮想画面に係る画像情報を各プロジェクターに出力可能とする。【選択図】図２
2010224276.tif 000002
【特許請求の範囲】
【請求項１】
画像情報に基づく画面を表示する表示部を有し、入力される画像情報に基づく画面を表示する表示装置に対して画像情報を出力する画像出力装置であって、
複数の仮想的な画面に係る画像情報を生成する画面生成部と、
当該画像出力装置に接続される前記表示装置を検出する検出部と、
前記画面生成部にて生成される前記各仮想画面を前記表示部に表示させる表示制御部と、
前記検出部にて検出された前記表示装置と、前記各仮想画面とを関連付けるための関連情報を入力させる情報入力部と、
前記関連情報に基づいて、前記検出部にて検出された前記各表示装置と、前記各仮想画面とを関連付けて前記各仮想画面に係る画像情報を前記各表示装置に出力可能とする関連付け部とを備えることを特徴とする画像出力装置。
【請求項２】
請求項１に記載の画像出力装置において、
前記表示制御部は、前記表示部に表示される前記各仮想画面に係る画像情報の情報量を、前記各表示装置に出力される画像情報の情報量と比較して低減させることを特徴とする画像出力装置。
【請求項３】
請求項１または請求項２に記載の画像出力装置において、
前記表示制御部は、前記各仮想画面のうち、いずれか１つの前記仮想画面を前記表示部における表示領域の全体に表示させるとともに、前記各仮想画面を前記表示部における表示領域の一部に縮小して表示させることを特徴とする画像出力装置。
【請求項４】
請求項３に記載の画像出力装置において、
前記表示制御部は、前記表示部における表示領域の一部に縮小して表示させた前記各仮想画面のうち、前記表示部における表示領域の全体に表示させた前記仮想画面に係る画像情報を所定のパターンの画像情報とすることを特徴とする画像出力装置。
【請求項５】
請求項３または請求項４に記載の画像出力装置において、
前記情報入力部は、前記関連付け部にて前記表示装置に関連付けられた前記仮想画面を前記表示部から消去するための消去情報を入力させ、
前記表示制御部は、前記消去情報に基づいて、前記表示部における表示領域の一部に縮小して表示させた前記各仮想画面を消去することを特徴とする画像出力装置。
【請求項６】
画像情報に基づく画面を表示する表示部を有し、入力される画像情報に基づく画面を表示する表示装置に対して画像情報を出力する画像出力装置の制御方法であって、
複数の仮想的な画面に係る画像情報を生成する画面生成ステップと、
前記画像出力装置に接続される前記表示装置を検出する検出ステップと、
前記画面生成ステップにて生成される前記各仮想画面を前記表示部に表示させる表示制御ステップと、
前記検出ステップにて検出された前記表示装置と、前記各仮想画面とを関連付けるための関連情報を入力させる情報入力ステップと、
前記関連情報に基づいて、前記検出ステップにて検出された前記表示装置と、前記各仮想画面とを関連付けて前記各仮想画面に係る画像情報を前記表示装置に出力可能とする関連付けステップとを実行することを特徴とする制御方法。
【請求項７】
画像情報に基づく画面を表示する表示部を有し、入力される画像情報に基づく画面を表示する表示装置に対して画像情報を出力する画像出力装置の制御プログラムであって、
前記画像出力装置に、
複数の仮想的な画面に係る画像情報を生成する画面生成ステップと、
前記画像出力装置に接続される前記表示装置を検出する検出ステップと、
前記画面生成ステップにて生成される前記各仮想画面を前記表示部に表示させる表示制御ステップと、
前記検出ステップにて検出された前記表示装置と、前記各仮想画面とを関連付けるための関連情報を入力させる情報入力ステップと、
前記関連情報に基づいて、前記検出ステップにて検出された前記表示装置と、前記各仮想画面とを関連付けて前記各仮想画面に係る画像情報を前記表示装置に出力可能とする関連付けステップとを実行させることを特徴とする制御プログラム。
【発明の詳細な説明】
【技術分野】
【０００１】
本発明は、画像出力装置、制御方法、及び制御プログラムに関する。
【背景技術】
【０００２】
従来、入力される画像情報に基づく画面を表示する表示装置と、画像情報に基づく画面を表示する表示部を有し、表示装置に対して画像情報を出力する画像出力装置とを備える画像表示システムが知られている（例えば、特許文献１参照）。
特許文献１に記載の画像表示システムは、４つのプロジェクター（表示装置）と、ディスプレイ（表示部）を備えるコンピューター（画像出力装置）とを備え、コンピューターは、複数の仮想ディスプレイを生成し、生成した各仮想ディスプレイに係る画像情報を各プロジェクターに対して出力している。そして、プロジェクターは、入力される画像情報に基づく画面を表示している。
【先行技術文献】
【特許文献】
【０００３】
【特許文献１】特開２００７−２４０８１３号公報
【発明の概要】
【発明が解決しようとする課題】
【０００４】
しかしながら、特許文献１に記載のコンピューターでは、各仮想ディスプレイ、及び各プロジェクターは予め関連付けられているので、画像表示システムの使用者は、各仮想ディスプレイに係る画像情報を出力するプロジェクターを選択することができないという問題がある。
また、各プロジェクターは、各仮想ディスプレイが関連付けられた後でなければ画面を表示することができないので、画像表示システムの使用者は、所望のプロジェクターに対して所望の画面を表示させるのに手間がかかるという問題がある。
【０００５】
本発明の目的は、所望の表示装置に対して所望の画面を容易に表示させることができる画像出力装置、制御方法、及び制御プログラムを提供することにある。
【課題を解決するための手段】
【０００６】
本発明の画像出力装置は、画像情報に基づく画面を表示する表示部を有し、入力される画像情報に基づく画面を表示する表示装置に対して画像情報を出力する画像出力装置であって、複数の仮想的な画面に係る画像情報を生成する画面生成部と、当該画像出力装置に接続される前記表示装置を検出する検出部と、前記画面生成部にて生成される前記各仮想画面を前記表示部に表示させる表示制御部と、前記検出部にて検出された前記表示装置と、前記各仮想画面とを関連付けるための関連情報を入力させる情報入力部と、前記関連情報に基づいて、前記検出部にて検出された前記各表示装置と、前記各仮想画面とを関連付けて前記各仮想画面に係る画像情報を前記各表示装置に出力可能とする関連付け部とを備えることを特徴とする。
【０００７】
このような構成によれば、画像出力装置は、画面生成部にて生成される各仮想画面を表示部に表示させる表示制御部を備えるので、画像出力装置の使用者は、表示部を見ることで各仮想画面がどのような画面であるかを確認することができる。そして、画像出力装置は、検出部にて検出された各表示装置、すなわち画像出力装置に接続された各表示装置と、各仮想画面とを関連付けるための関連情報を入力させる情報入力部と、使用者から入力される関連情報に基づいて、画像出力装置に接続された各表示装置と、各仮想画面とを関連付ける関連付け部とを備える。したがって、使用者は、表示部を見ることで各仮想画面がどのような画面であるかを確認するとともに、情報入力部を介して関連情報を入力することで所望の表示装置に対して所望の画面を容易に表示させることができる。
【０００８】
本発明では、前記表示制御部は、前記表示部に表示される前記各仮想画面に係る画像情報の情報量を、前記各表示装置に出力される画像情報の情報量と比較して低減させることが好ましい。
【０００９】
このような構成によれば、表示部に表示される各仮想画面に係る画像情報の情報量を、各表示装置に出力される画像情報の情報量と同じにする場合と比較して、画像表示装置にかかる負荷を低減させることができる。
【００１０】
本発明では、前記表示制御部は、前記各仮想画面のうち、いずれか１つの前記仮想画面を前記表示部における表示領域の全体に表示させるとともに、前記各仮想画面を前記表示部における表示領域の一部に縮小して表示させることが好ましい。
【００１１】
このような構成によれば、表示部における表示領域の全体に１つの仮想画面を表示させることができるので、使用者の利便性を向上させることができる。
【００１２】
本発明では、前記表示制御部は、前記表示部における表示領域の一部に縮小して表示させた前記各仮想画面のうち、前記表示部における表示領域の全体に表示させた前記仮想画面に係る画像情報を所定のパターンの画像情報とすることが好ましい。
【００１３】
ここで、使用者は、表示部における表示領域の全体に表示させた仮想画面については、表示部における表示領域の一部に縮小して表示させた各仮想画面を見ることなく、表示部における表示領域の全体を見ることで確認することができる。
したがって、本発明によれば、表示制御部は、表示部における表示領域の一部に縮小して表示させた各仮想画面のうち、表示部における表示領域の全体に表示させた仮想画面に係る画像情報を所定のパターンの画像情報（例えば、全画素を黒色とした画像情報）とするので、画像表示装置にかかる負荷を低減させることができる。
【００１４】
本発明では、前記情報入力部は、前記関連付け部にて前記表示装置に関連付けられた前記仮想画面を前記表示部から消去するための消去情報を入力させ、前記表示制御部は、前記消去情報に基づいて、前記表示部における表示領域の一部に縮小して表示させた前記各仮想画面を消去することが好ましい。
【００１５】
ここで、使用者は、画像出力装置に接続された各表示装置、及び各仮想画面が関連付け部にて関連付けられた後は、表示部における表示領域の一部に縮小して表示させた仮想画面を確認しなくてもよい場合がある。
本発明によれば、使用者は、情報入力部を介して消去情報を入力することで関連付け部にて表示装置に関連付けられた仮想画面を消去することができる。したがって、画像表示装置にかかる負荷を更に低減させることができる。
【００１６】
本発明の制御方法は、画像情報に基づく画面を表示する表示部を有し、入力される画像情報に基づく画面を表示する表示装置に対して画像情報を出力する画像出力装置の制御方法であって、複数の仮想的な画面に係る画像情報を生成する画面生成ステップと、前記画像出力装置に接続される前記表示装置を検出する検出ステップと、前記画面生成ステップにて生成される前記各仮想画面を前記表示部に表示させる表示制御ステップと、前記検出ステップにて検出された前記表示装置と、前記各仮想画面とを関連付けるための関連情報を入力させる情報入力ステップと、前記関連情報に基づいて、前記検出ステップにて検出された前記表示装置と、前記各仮想画面とを関連付けて前記各仮想画面に係る画像情報を前記表示装置に出力可能とする関連付けステップとを実行することを特徴とする。
このような構成によれば、前述した画像出力装置と同様の作用効果を奏することができる。
【００１７】
本発明の制御プログラムは、画像情報に基づく画面を表示する表示部を有し、入力される画像情報に基づく画面を表示する表示装置に対して画像情報を出力する画像出力装置の制御プログラムであって、前記画像出力装置に、複数の仮想的な画面に係る画像情報を生成する画面生成ステップと、前記画像出力装置に接続される前記表示装置を検出する検出ステップと、前記画面生成ステップにて生成される前記各仮想画面を前記表示部に表示させる表示制御ステップと、前記検出ステップにて検出された前記表示装置と、前記各仮想画面とを関連付けるための関連情報を入力させる情報入力ステップと、前記関連情報に基づいて、前記検出ステップにて検出された前記表示装置と、前記各仮想画面とを関連付けて前記各仮想画面に係る画像情報を前記表示装置に出力可能とする関連付けステップとを実行させることを特徴とする。
このような構成によれば、前述した画像出力装置と同様の作用効果を奏することができる。
【図面の簡単な説明】
【００１８】
【図１】本発明の一実施形態に係る画像表示システムの概略構成を示すブロック図。
【図２】前記実施形態におけるノートＰＣの概略構成を示すブロック図。
【図３】前記実施形態におけるノートＰＣの制御処理を示すフローチャート。
【図４】前記実施形態における表示手段に表示される各仮想画面を示す図。
【図５】前記実施形態における情報入力部にて関連情報を入力している状態を示す図。
【図６】前記実施形態における情報入力部にて消去情報を入力している状態を示す図。
【発明を実施するための形態】
【００１９】
以下、本発明の一実施形態を図面に基づいて説明する。
〔画像表示システムの概略構成〕
図１は、本発明の一実施形態に係る画像表示システム１の概略構成を示すブロック図である。
画像表示システム１は、図１に示すように、入力される画像情報に基づく画面を表示する４つのプロジェクター２と、画像情報に基づく画面を表示する表示部としての表示手段３１を有し、プロジェクター２に対して画像情報を出力するノートＰＣ（Personal Computer）３と、プロジェクター２、及びノートＰＣ３を接続し、ノートＰＣ３から出力される画像情報をプロジェクター２に伝送するＵＳＢ（Universal Serial Bus）ケーブル４１、及びＵＳＢハブ４２で構成される伝送手段４とを備える。
表示装置としての各プロジェクター２は、ノートＰＣ３から出力される画像情報に基づく画像光を生成し、スクリーン等の投射面（図示略）に向けて投射する。そして、プロジェクター２から画像光が投射されることにより、投射面には、画像情報に基づく画面が表示される。
【００２０】
図２は、ノートＰＣ３の概略構成を示すブロック図である。
画像出力装置としてのノートＰＣ３は、図２に示すように、前述した表示手段３１と、キーボードやマウス等で構成される操作手段３２と、制御手段３３とで大略構成されている。
制御手段３３は、例えば、ＣＰＵ（Central Processing Unit）等を含んで構成され、ノートＰＣ３を制御するものであり、メインメモリー３３１と、画面生成部３３２と、検出部３３３と、表示制御部３３４と、情報入力部３３５と、関連付け部３３６とを備える。
【００２１】
メインメモリー３３１は、後述するノートＰＣ３の制御処理を実行するための制御プログラムや、データ等を記憶する。
画面生成部３３２は、複数の仮想的な画面（以下、仮想画面とする）に係る画像情報を生成する。
検出部３３３は、ノートＰＣ３に接続される各プロジェクター２を検出する。
表示制御部３３４は、画面生成部３３２にて生成される各仮想画面を表示手段３１に表示させる。
情報入力部３３５は、検出部３３３にて検出された各プロジェクター２と、各仮想画面とを関連付けるための関連情報を入力させる。
関連付け部３３６は、関連情報に基づいて、検出部３３３にて検出された各プロジェクター２と、各仮想画面とを関連付けて各仮想画面に係る画像情報を各プロジェクター２に出力可能とする。
【００２２】
〔ノートＰＣの制御処理〕
次に、ノートＰＣ３の制御処理について、図３〜図６を参照して説明する。
図３は、ノートＰＣ３の制御処理を示すフローチャートである。
画像表示システム１の使用者が操作手段３２を介してノートＰＣ３の制御処理を実行すると、ノートＰＣ３は、メインメモリー３３１に記憶された制御プログラムを実行する。
ノートＰＣ３にて制御プログラムが実行されると、図３に示すように、画面生成部３３２は、複数の仮想画面に係る画像情報を生成する（Ｓ１：画面生成ステップ）。なお、本実施形態では、仮想画面の数は、制御処理を実行する際に使用者が操作手段３２を介して入力するものとし、画面生成部３３２は、４つの仮想画面を生成するものとして説明する。
【００２３】
画面生成ステップＳ１にて各仮想画面が生成されると、検出部３３３は、ノートＰＣ３に接続される各プロジェクター２を検出する（Ｓ２：検出ステップ）。なお、本実施形態では、検出部３３３は、ノートＰＣ３に接続された各プロジェクター２を検出した順に識別番号を付すものとし、各プロジェクター２には、それぞれＰＪ１〜ＰＪ４の識別番号が付されたものとする。
検出ステップＳ２にて各プロジェクター２が検出されると、表示制御部３３４は、画面生成部３３２にて生成される各仮想画面を表示手段３１に表示させる（Ｓ３：表示制御ステップ）。
【００２４】
図４は、表示手段３１に表示される各仮想画面を示す図である。
表示制御部３３４は、図４に示すように、画面生成部３３２にて生成された各仮想画面のうち、いずれか１つの仮想画面を表示手段３１における表示領域３１Ａの全体に表示させる。また、表示制御部３３４は、表示領域３１Ａの右下部分にプレビュー画面ＰＶを表示させる。
プレビュー画面ＰＶは、各仮想画面を表示領域３１Ａの一部に縮小して表示させたものであり、図４では、表示領域３１Ａの全体に表示させた仮想画面をメインＤ０とし、他の３つの仮想画面をそれぞれ仮想Ｄ１，Ｄ２，Ｄ３として示している。
【００２５】
また、表示制御部３３４は、プレビュー画面ＰＶのうち、メインＤ０に係る画像情報を、全画素を黒色とした所定のパターンの画像情報とし、仮想Ｄ１〜Ｄ３に係る画像情報の情報量を、各プロジェクター２に出力される画像情報の情報量と比較して低減させる。
なお、画像情報の情報量を低減させる方法としては、画像情報の解像度を低減させたり、画像情報の更新速度を低下させたりする方法を用いることができる。
さらに、表示制御部３３４は、メインメモリー３３１に記憶された消去情報に基づいて、各仮想画面Ｄ０〜Ｄ３を消去する。なお、消去情報は、後述する情報入力ステップＳ４にてメインメモリー３３１に記憶される。
【００２６】
表示制御ステップＳ３にて表示領域３１Ａにプレビュー画面ＰＶが表示されると、情報入力部３３５は、検出部３３３にて検出された各プロジェクター２と、各仮想画面Ｄ０〜Ｄ３とを関連付けるための関連情報を入力させるとともに、後述する関連付けステップＳ５において、各プロジェクター２に関連付けられた各仮想画面Ｄ０〜Ｄ３を表示手段３１から消去するための消去情報を入力させる（Ｓ４：情報入力ステップ）。なお、入力された関連情報、及び消去情報は、メインメモリー３３１に記憶される。
情報入力ステップＳ４にて関連情報が入力されると、関連付け部３３６は、メインメモリー３３１に記憶された関連情報に基づいて、検出部３３３にて検出された各プロジェクター２と、各仮想画面Ｄ０〜Ｄ３とを関連付けて各仮想画面Ｄ０〜Ｄ３に係る画像情報を各プロジェクター２に出力可能とする（Ｓ５：関連付けステップ）。
【００２７】
図５は、情報入力部３３５にて関連情報を入力している状態を示す図である。
画像表示システム１の使用者が操作手段３２を介してプレビュー画面ＰＶにおける各仮想画面Ｄ０〜Ｄ３のいずれかを選択すると、情報入力部３３５は、図５に示すように、表示領域３１Ａにメニュー画面Ｍ１を表示させる。なお、図５では、使用者は、仮想画面Ｄ１を選択したものとし、メニュー画面Ｍ１は、各プロジェクター２に付された識別番号ＰＪ１〜ＰＪ４を表示するリストである。
【００２８】
そして、使用者が操作手段３２を介してメニュー画面Ｍ１におけるＰＪ１〜ＰＪ４のいずれかを選択すると、関連付け部３３６は、選択された識別番号が付されたプロジェクター２と、選択された仮想画面Ｄ１とを関連付ける。例えば、識別番号ＰＪ１が付されたプロジェクター２を使用者が選択したとすると、関連付け部３３６は、仮想画面Ｄ１に係る画像情報を識別番号ＰＪ１が付されたプロジェクター２に出力可能とする。
【００２９】
図６は、情報入力部３３５にて消去情報を入力している状態を示す図である。
識別番号ＰＪ１が付されたプロジェクター２と、仮想画面Ｄ１とが関連付けられている場合において、画像表示システム１の使用者が操作手段３２を介してプレビュー画面ＰＶにおける仮想画面Ｄ１を選択すると、情報入力部３３５は、図６に示すように、表示領域３１Ａにメニュー画面Ｍ２を表示させる。なお、本実施形態では、識別番号ＰＪ１が付されたプロジェクター２と、仮想画面Ｄ１とが関連付けられている状態をメニュー画面Ｍ２上の黒丸印で示している。
この場合には、情報入力部３３５は、メニュー画面Ｍ２の最下欄に消去の欄を表示するので、使用者は、メニュー画面Ｍ２に表示された消去の欄を選択することで消去情報を入力する。
【００３０】
情報入力ステップＳ４にて関連情報、及び消去情報のいずれもが入力されない場合や、関連付けステップＳ５にて関連付けが実行された場合には、ノートＰＣ３は、再度、表示制御ステップＳ３を実行する。
【００３１】
本実施形態に係るノートＰＣ３によれば、次のような効果がある。
（１）ノートＰＣ３は、画面生成部３３２にて生成される各仮想画面Ｄ０〜Ｄ３を表示手段３１に表示させる表示制御部３３４を備えるので、ノートＰＣ３の使用者は、表示手段３１を見ることで各仮想画面Ｄ０〜Ｄ３がどのような画面であるかを確認することができる。そして、ノートＰＣ３は、検出部３３３と、情報入力部３３５と、関連付け部３３６とを備えるので、使用者は、情報入力部３３５を介して関連情報を入力することで所望のプロジェクター２に対して所望の画面を容易に表示させることができる。
【００３２】
（２）表示制御部３３４は、表示手段３１に表示される各仮想画面Ｄ１〜Ｄ３に係る画像情報の情報量を、各プロジェクター２に出力される画像情報の情報量と比較して低減させるので、ノートＰＣ３にかかる負荷を低減させることができる。
（３）表示制御部３３４は、各仮想画面Ｄ０〜Ｄ３のうち、仮想画面Ｄ０を表示手段３１における表示領域３１Ａの全体に表示させるので、使用者の利便性を向上させることができる。
【００３３】
（４）表示制御部３３４は、表示手段３１における表示領域３１Ａの一部に縮小して表示させた各仮想画面Ｄ０〜Ｄ３のうち、表示手段３１における表示領域３１Ａの全体に表示させた仮想画面Ｄ０に係る画像情報を所定のパターンの画像情報とするので、ノートＰＣ３にかかる負荷を低減させることができる。
（５）使用者は、情報入力部３３５を介して消去情報を入力することで関連付け部３３６にて各プロジェクター２に関連付けられた各仮想画面Ｄ０〜Ｄ３を消去することができる。したがって、ノートＰＣ３にかかる負荷を更に低減させることができる。
【００３４】
〔実施形態の変形〕
なお、本発明は前記実施形態に限定されるものではなく、本発明の目的を達成できる範囲での変形、改良等は本発明に含まれるものである。
例えば、前記実施形態では、表示制御部３３４は、画面生成部３３２にて生成された各仮想画面のうち、いずれか１つの仮想画面を表示手段３１における表示領域３１Ａの全体に表示させ、表示領域３１Ａの右下部分にプレビュー画面ＰＶを表示させていた。これに対して、表示制御部は、１つの仮想画面を表示手段における表示領域の全体に表示させなくてもよい。要するに、表示制御部は、画面生成部にて生成される各仮想画面を表示部に表示させればよい。
【００３５】
前記実施形態では、表示制御部３３４は、プレビュー画面ＰＶのうち、メインＤ０に係る画像情報を、全画素を黒色とした所定のパターンの画像情報とし、仮想Ｄ１〜Ｄ３に係る画像情報の情報量を、各プロジェクター２に出力される画像情報の情報量と比較して低減させていた。これに対して、表示制御部は、各仮想画面に係る画像情報を各表示装置に出力される画像情報と同じ画像情報としてもよい。
前記実施形態では、情報入力部３３５は、各プロジェクター２に関連付けられた各仮想画面Ｄ０〜Ｄ３を表示手段３１から消去するための消去情報を入力させ、メインメモリー３３１に記憶された消去情報に基づいて、各仮想画面Ｄ０〜Ｄ３を消去していた。これに対して、情報入力部、及び表示制御部は、各仮想画面を消去することができるように構成されていなくてもよい。
【００３６】
前記実施形態では、情報入力部３３５は、メニュー画面Ｍ１，Ｍ２を表示させることで関連情報、及び消去情報を入力させていたが、例えば、ボタン等の他のＧＵＩ（Graphical User Interface）を表示させることで情報を入力させるように構成してもよい。
前記実施形態では、画面生成部３３２にて各仮想画面Ｄ０〜Ｄ３が生成されると、検出部３３３は、ノートＰＣ３に接続される各プロジェクター２を検出していた。これに対して、検出部は、画像出力装置に新たな表示装置が接続される度に、画像出力装置に接続される表示装置を検出するように構成してもよい。
【００３７】
前記実施形態では、仮想画面の数は、使用者が操作手段３２を介して入力することとしたが、検出部３３３が接続されている表示装置の台数を動的に検出して、仮想画面の数を管理するようにしてもよい。
前記実施形態では、ＵＳＢケーブル４１、及びＵＳＢハブ４２で構成される伝送手段４を例示したが、画像情報を伝送するのに十分な帯域を確保できるものであればよく、ＬＡＮ（Local Area Network）ケーブルとハブ、ワイヤレスＬＡＮやワイヤレスＵＳＢ等の構成も可能である。
前記実施形態では、表示装置としてプロジェクター２を例示し、画像出力装置としてノートＰＣ３を例示していたが、これら以外の機器であってもよい。要するに、表示装置は、入力される画像情報に基づく画面を表示するものであればよく、画像出力装置は、画像情報に基づく画面を表示する表示部を有し、表示装置に対して画像情報を出力するものであればよい。
【産業上の利用可能性】
【００３８】
本発明は、画像出力装置、制御方法、及び制御プログラムに好適に利用することができる。
【符号の説明】
【００３９】
２…プロジェクター（表示装置）、３…ノートＰＣ（画像出力装置）、３１…表示手段（表示部）、３１Ａ…表示領域、３３２…画面生成部、３３３…検出部、３３４…表示制御部、３３５…情報入力部、３３６…関連付け部、Ｄ０-Ｄ３…仮想画面、Ｓ１…画面生成ステップ、Ｓ２…検出ステップ、Ｓ３…表示制御ステップ、Ｓ４…情報入力ステップ、Ｓ５…関連付けステップ。
【図１】
2010224276.tif 000003
【図２】
2010224276.tif 000004
【図３】
2010224276.tif 000005
【図４】
2010224276.tif 000006
【図５】
2010224276.tif 000007
【図６】
2010224276.tif 000008